(57)【要約】【課題】放熱パネルを包装するにあたり、包装材の種類を削減しても十分な強度と剛性を有する信頼性の高い包装体を低コストで実用化する。【解決手段】放熱パネルＰの包装体１を、放熱パネルＰの両短手側端部に沿ってそれぞれ配置される内部が空洞の一対の緩衝ロール材２，２と、放熱パネルＰの両長手側端部に沿ってそれぞれ配置される断面コ字形に形成された一対の側部被覆材３，３とにより構成する。【選択図】図１
0003211253.tif 000002
【実用新案登録請求の範囲】
【請求項１】
平面視略方形状を呈する放熱パネルの包装体（１）であって、
放熱パネル（Ｐ）の両短手側端部に沿ってそれぞれ配置される内部が空洞の一対の緩衝ロール材（２，２）と、
放熱パネル（Ｐ）の両長手側端部に沿ってそれぞれ配置され、放熱パネル（Ｐ）及びその両短手側端部に配置された両緩衝ロール材（２，２）の側端部の側面を覆う側面被覆部（３ａ）と上面縁部を覆う上面被覆部（３ｂ）と下面縁部を覆う下面被覆部（３ｃ）とからなる断面コ字形に形成された一対の側部被覆材（３，３）と、
を備えた構成を有することを特徴とする放熱パネルの包装体（１）。
【請求項２】
放熱パネル（Ｐ）の短手側端部の上面と下面にそれぞれ係合する上側舌片（２ｂ）と下側舌片（２ｃ）が緩衝ロール材（２）に設けられた構成を有することを特徴とする請求項１に記載の放熱パネルの包装体（１）。
【請求項３】
緩衝ロール材（２，２）は段ボールを折って組み立てた箱体であることを特徴とする請求項１又は２に記載の放熱パネルの包装体（１）。
【請求項４】
一対の側部被覆材（３，３）のうちの一方の側部被覆材（３）の上面被覆部（３ｂ）の少なくとも一部に重なるように取り付けられる手提げ紐（４）を備えた構成を有することを特徴とする請求項１から３の何れかに記載の放熱パネルの包装体（１）。
【請求項５】
手提げ紐（４）を引っ張ったときにその先端部分が放熱パネル（Ｐ）の短手幅の略中央に位置するように、手提げ紐（４）が取り付けられていることを特徴とする請求項４に記載の放熱パネルの包装体（１）。
【請求項６】
放熱パネル（Ｐ）の上面を覆う上面被覆材（５）及び／又は下面を覆う下面被覆材（５）を備えた構成を有する請求項１から４の何れかに記載の放熱パネルの包装体（１）。
【請求項７】
上面被覆材（５）の略中央に位置するように、把持孔が設けられていることを特徴とする請求項６に記載の放熱パネルの包装体（１）。
【考案の詳細な説明】
【技術分野】
【０００１】
本考案は、主として床暖房に用いられる放熱パネルを保管したり運搬したりするための包装体に関する。
【背景技術】
【０００２】
床暖房に用いられる放熱パネルは、その主要部が断熱性に優れた発泡スチロール等の発泡樹脂材料により形成されており、機械的強度が小さく破損し易いことから、破損が生じないような十分な包装を施した上で保管や運搬に供する必要がある。
【０００３】
放熱パネルの包装材として、例えば、放熱パネルの両側端部に、内部に端面パッドと側面パッドを収納した半割箱形の端部包装材を覆い被せるとともに、放熱パネルの上下両面に上面包装材と下面包装材を重ねて包装することで、放熱パネルの両側端部及び上下両面を保護する形態のものが知られている（例えば特許文献１参照）。
【先行技術文献】
【特許文献】
【０００４】
【特許文献１】特開２００３−４０３８６号公報
【考案の開示】
【考案が解決しようとする課題】
【０００５】
前記従来の包装材は、放熱パネルをその両側端部に端面パッドと側面パッドを装着して包装することで、放熱パネルを運搬しているときに端部を躯体にぶつける等して加わる衝撃から保護して、放熱パネルが破損することを防ぐことが可能である。
【０００６】
しかし、この場合、放熱パネルの端部を覆う端部包装材に加えて、端面パッド及び側面パッドが必要であり、包装に必要な包装材の種類が増え、包装材の保管や包装する際の手間やコストがかかり、また、包装の作業工程が複雑化して生産効率が低下するといった問題があった。また、放熱パネルの上下両面を保護するための上下面包装材も必要となり、包装材が大型化するといったデメリットもある。
コスト削減を図る等のために、単純に包装材の種類を減らそうとした場合、包装体としても十分な強度が発現できず、放熱パネルの保管や搬送等の際に、放熱パネルの破損を招来し易くなってしまうといった問題もあった。
【０００７】
本考案は、従来技術の有するこのような問題点に鑑み、包装材の種類を削減しても十分な強度と剛性を有する信頼性の高い包装材を、包装工程の複雑化を招くことなく、低コストで実用化することを課題とする。
【課題を解決するための手段】
【０００８】
前記課題を解決するため本考案は、平面視略方形状を呈する放熱パネルの包装体であって、
放熱パネルの両短手側端部に沿ってそれぞれ配置される内部が空洞の一対の緩衝ロール材と、
放熱パネルの両長手側端部に沿ってそれぞれ配置され、放熱パネル及びその両短手側端部に配置された両緩衝ロール材の側端部の側面を覆う側面被覆部と上面縁部を覆う上面被覆部と下面縁部を覆う下面被覆部とからなる断面コ字形に形成された一対の側部被覆材と、
を備えた構成を有することを特徴とする。
【０００９】
これによれば、放熱パネルの両短手側端部に緩衝ロール材をそれぞれあてがい、さらに放熱パネルと緩衝ロール材の両側端部に沿って側部被覆材を装着して、放熱パネルの周側辺を緩衝ロール材と側部被覆材で覆った後、緩衝ロール材と側部被覆材が重なった部分を粘着テープ等で留め付け、或いはさらにその外周に梱包紐を掛け回して結束することで、放熱パネルの梱包が完了する。
包装された放熱パネルは、その周辺全体が緩衝ロール材と側部被覆材で覆われて高い強度で保護され、また、運搬中に躯体にぶつかる等して特に破損し易い両側端部に緩衝ロール材をあてがってあるので、衝突による加わる衝撃は緩衝ロール材で吸収され、当該部分の破損防止に極めて効果的である。包装体は、それぞれ一対の緩衝ロール材及び側部被覆材により構成されているので、保管や包装する際の手間やコストは最小限で済み、放熱パネルを包装する作業も簡便な手順で行うことが可能である。
【００１０】
前記構成の包装体において、緩衝ロール材は、放熱パネルの短手側端部の上面と下面にそれぞれ係合する上側舌片と下側舌片を設けて形成することができる。また、緩衝ロール材は、段ボールを折って組み立てた箱体により形成することができる。
【００１１】
また、前記構成の包装体において、側部被覆材の上面被覆部の少なくとも一部に重ねて、手提げ紐を取り付けることができる。この手提げ紐は、引っ張ったときにその先端部分が放熱パネルの短手幅の略中央に位置するように取り付けることが好ましい。このように包装された放熱パネルは、片手で手提げ紐を持ち、当該手提げ紐が取り付けられた側の側部被覆材を下側に向け、且つ放熱パネルを脇に抱えるようにして、持ち運ぶことが可能である。手提げ紐の長さや取り付け位置を調整することで、作業者が放熱パネルを運びやすい高さに設定することができる。
【００１２】
また、前記包装体は、放熱パネルの上面を覆う上面被覆材及び／又は下面を覆う下面被覆材を備えた構成とすることができる。この場合、放熱パネルの上下両面が被覆材で覆われるので、落下時等の衝撃から保護して、放熱パネルが破損することを効果的に抑制することができる。手提げ紐の代わりとして、上面被覆材の略中央に把持孔を設ければ、片手で把持孔を掴みながら、前記と同様にして放熱パネルを脇に抱えて持ち運ぶことができる。
【図面の簡単な説明】
【００１３】
【図１】本考案の一実施形態の包装体を放熱パネルとともに展開して示した図である。
【図２】図１に示した緩衝ロール材の展開図である。
【図３】図１に示した緩衝ロール材の横断面図である。
【図４】図１に示した包装体で放熱パネルを包装した状態の外観図である。
【図５】包装された放熱パネルを運搬するときの状態を示した図である。
【図６】本考案の他の実施形態の包装体を放熱パネルとともに展開して示した図である。
【図７】図６に示した緩衝ロール材の展開図である。
【図８】図６に示した包装体で放熱パネルを包装した状態の外観図である。
【図９】本考案のさらに他の実施形態の包装体を放熱パネルとともに展開して示した図である。
【考案を実施するための形態】
【００１４】
以下、本考案の包装体の好適な実施形態について説明する。なお、本考案は以下の実施形態に限定されるものではない。
【００１５】
図１は本考案の一実施形態の包装体の構成を示しており、図中、符番１は包装体、２，２は緩衝ロール材、３，３は側部被覆材、４は手提げ紐であり、Ｐは発泡樹脂を主材料として平面視略矩形状に形成された包装対象である放熱パネルである。
【００１６】
包装体１の緩衝ロール材２，２は、段ボールシートを折り曲げて形成される内部が中空な箱体であり、放熱パネルＰの短手側端部を覆うように当該端部の長さ及び厚みに沿った大きさに形成してある。
詳しくは、緩衝ロール材２は、図２に示される、表面に複数の折れ筋２１ａと切り込み２１ｂが形成され、且つ両側部にフラップ２１ｃが設けられたシートを、前記折れ筋２１ａに沿って折り曲げるとともに切り込み２１ｂに上側舌片２ｂを挿通させ、さらにフラップ２１ｃを内折れさせて、矩形状の中空断面を呈する箱形に組み立てることにより形成される。
組み立てられた緩衝ロール材２は、そのロール本体２ａの一側の側部上端から上側舌片２ｂが、下端から下側舌片２ｃがそれぞれ突出し、これを放熱パネルＰの短手側端部に添えたときに、当該短手側端部の側面にロール本体２ａの側面が接合し、短手側端部の上面と下面の縁部に上側舌片２ｂと下側舌片２ｃがそれぞれ係合するように設けてある。
【００１７】
緩衝ロール材２の上側舌片２ｂの突出長さＬ２ｂと突出幅Ｗ２ｂ、及び下側舌片２ｃの突出長さＬ２ｃと突出幅Ｗ２ｃは、梱包される放熱パネルＰの大きさに応じて適宜調整して定めればよいが、上側舌片２ｂの突出長さＬ２ｂは、放熱パネルＰの長手方向の長さの０．５〜６％であることが好ましく、１〜３％であることがより好ましい。また、上側舌片２ｂの突出幅Ｗ２ｂは、放熱パネルＰの短手方向の長さの５０〜８５％であることが好ましく、６２〜７５％であることがより好ましい。
下側舌片２ｃの突出長さＬ２ｃは、放熱パネルＰの長手方向の長さの０．５〜６％であることが好ましく、１〜３％であることがより好ましい。また、下側舌片２ｃの突出幅Ｗ２ｃは、放熱パネルＰの短手方向の長さの５０〜１００％であることが好ましく、６２〜１００％であることがより好ましく、放熱パネルＰの短手方向長さと同じであることがさらに好ましい。
上側舌片２ｂの突出長さＬ２ｂと下側舌片２ｃの突出長さＬ２ｃは、同程度であることが好ましい。
【００１８】
より具体的には、上側舌片２ｂの突出長さＬ２ｂは、１〜７ｃｍであることが好ましく、１．５〜５ｃｍであることがより好ましく、２〜４ｃｍであることがさらに好ましい。下側舌片２ｃの突出長さＬ２ｃは１〜７ｃｍであることが好ましく、１．５〜５ｃｍであることがより好ましく、２〜４ｃｍであることがさらに好ましい。また、上側舌片２ｂの突出幅Ｗ２ｂは４０〜１１０ｃｍであることが好ましく、５０〜１００ｃｍであることがより好ましく、６２〜１００ｃｍであることがさらに好ましい。
上側舌片２ｂ、下側舌片２ｃをこのような突出長さ、突出幅とすることにより、放熱パネルＰをより安定に保持することができ、運搬中の揺れや振動、或いは落下時等の衝撃が加わったときでも、放熱パネルＰから包装体１が外れにくく、放熱パネルＰの短手側端部を覆う緩衝ロール材２で安全に保護することができて好ましい。
【００１９】
側部被覆材３，３は、放熱パネルＰの両長手側端部に沿って配置されて、放熱パネルＰとその両短手側端部に配置された両緩衝ロール材２，２の側端部を覆う部材であり、緩衝ロール材２と同様に段ボールシートを折り曲げて断面コ字形に形成してある。
側部被覆材３は、放熱パネルＰの両短手側端部に緩衝ロール材２，２を添えてあてがった状態で放熱パネルＰの側端部に設置され、その側部被覆部３ａで放熱パネルＰとその両短手側端部にあてがわれた両緩衝ロール材２，２の側端部の側面を覆い、当該側端部の上面縁部を上面被覆部３ｂ、下面縁部を下面被覆部３ｃでそれぞれ覆うように設けてある。
【００２０】
手提げ紐４は、適宜な太さの合成樹脂製の紐材であり、その両端部を、前記一対の側部被覆材３，３のうちの一方の側部被覆材３の上面被覆部３ｂの少なくとも一部に重なるように、好ましくは上面被覆部３の略中央部に紐端部を粘着シート４ａで直接貼り付けて一体に取り付けられる。
粘着シート４ａの大きさは、５〜１５ｃｍ×２０〜３０ｃｍの大きさであることが好ましく、７〜１０ｃｍ×２２〜２７ｃｍであることがより好ましい。粘着シート４ａは、全体が上面被覆部３ｂと重なる位置に取り付けられることが好ましいが、粘着シート４ａの２０〜９０％程度が上面被覆部３ｂと重なっている態様であってもよい。上面被覆部３ｂに粘着テープが貼り付けられている場合や後述のシュリンクフィルム等の包装フィルムが巻き付けられている場合には、それらの上から、前記上面被覆部３ｂに重なるように手提げ紐４を配置し、紐両端部に粘着シート４ａを重ねて貼り付ければよい。
手下げ紐４の長さは、前記側部被覆材３に取り付けた状態で手提げ紐４の中間部分を引っ張ったときに、その引っ張った部分の先端が放熱パネルＰの短手幅の略中央に位置するように設定してある。
【００２１】
本形態の包装体１はこのような部材により構成され、以下の手順で放熱パネルＰを包装することができる。
先ず、放熱パネルＰの両短手側端部に緩衝ロール材２，２をそれぞれ添えてあてがい、さらに放熱パネルＰと緩衝ロール材２，２の両側端部に沿って側部被覆材３，３を装着し、図４に示されるように、放熱パネルＰの周側辺を緩衝ロール材２，２と側部被覆材３，３で覆う。
次いで、緩衝ロール材２，２と側部被覆材３，３が重なった部分を粘着テープ等で留め付け、さらに放熱パネルＰの表面全体にシュリンクフィルム等の包装フィルムやシートを巻き付ける。
そして、包装フィルムやシートで覆われた側部被覆材３の上面被覆部３ｂに重ねて、紐両端部を粘着シート４ａで貼り付けて手提げ紐４を一体に取り付けることで、包装体１で包装された放熱パネルＰの梱包が完了する。
【００２２】
包装された放熱パネルＰは、図５に示されるように、作業者が片手で手提げ紐４を持ち、手提げ紐４が取り付けられた側の側部被覆材３を下側に向けて、放熱パネルＰを脇に抱えるようにして持ち運ぶことができる。この際、手提げ紐４を持つ長さや手提げ紐を取り付ける位置を調整することで、作業者が放熱パネルＰを運びやすい高さに設定することが可能である。
【００２３】
図６は本考案の他の実施形態の包装体１を示しており、これは前記形態と同様に、箱形の緩衝ロール材２，２と、断面コ字形の側部被覆材３，３と、一方の側部被覆材３の表面に一体に取り付けられた手提げ紐４とを有し、さらに、放熱パネルＰの上面全体と下面全体をそれぞれ覆う上面被覆材５と下面被覆材５を備えて構成したものである。
なお、本形態の緩衝ロール材２は、図７に示される、表面に複数の折れ筋２１ａが形成された段ボールシートを折り曲げて、矩形状の中空断面を呈する箱形に組み立てて形成してある。
【００２４】
本形態の包装体１を用いた放熱パネルＰの包装は、以下のようにして行うことができる。
先ず、放熱パネルＰの両短手側端部に緩衝ロール材２，２をそれぞれ添えてあてがい、放熱パネルＰの上下両面に上下面被覆材５，５を重ねるとともに、放熱パネルＰ、緩衝ロール材２，２及び上下面被覆材５，５の両側端部に沿って側部被覆材３，３を装着して、放熱パネルＰの上下両面を上下面被覆材５，５で、周側辺を緩衝ロール材２，２と側部被覆材３，３でそれぞれ覆う。
次いで、図８に示されるように、緩衝ロール材２，２と側部被覆材３，３及び上下面被覆材５，５が重なった部分に沿って粘着テープ６を貼り付け、さらに、両緩衝ロール材２，２の中央でそれぞれのロール材の外側から上下面被覆材５，５の表面に亘るように粘着テープ６を貼り付けて、放熱パネルＰを覆う各部材を留め付ける。
そして、前記側部被覆材３の上面被覆材３ｂに貼り付けられた粘着テープ６の表面に粘着シート４ａを貼り付けて手提げ紐４を一体に取り付けることで、放熱パネルＰの梱包が完了する。
梱包された放熱パネルＰは、前記形態と同様にして、作業者が片手で手提げ紐４を持ち、放熱パネルＰを脇に抱えながら持ち運ぶことができる。
【００２５】
図９は本考案のさらに他の実施形態の包装体１を示しており、これは、手提げ紐４に代えて、上面被覆材５に設けた把持孔５ａを手で掴んで包装された放熱パネル１を持ち運べるようにしたものである。
この場合、上面被覆材５は、把持孔５ａを形成できる大きさであればよく、放熱パネルＰの上面全体を覆うものであってもよいし、図示されているように、放熱パネルＰの上面の一部、例えば、放熱パネルＰの中央部であって、一対の側面被覆材３，３間に亘って部分的に覆って連結するような構成としてもよい。把持孔５ａの位置は、作業者が持ち運びやすい位置であればよく、上面被覆材５の略中央に位置するように設けてあることが好ましい。また、把持孔５ａを形成した部分の裏側には、別の部材によって裏張りがなされていることが好ましい。
【００２６】
なお、図示した各形態では、放熱パネルＰが平面視略矩形状を呈する場合として説明したが、放熱パネルＰの形状は、略方形であればよくこれに限定されるものではない。例えば、放熱パネルＰの形状が正方形の場合は、放熱パネルＰの長手、短手の区別がないため、放熱パネルＰの一方の側端部に緩衝ロール材２，２が、他方の側端部に側部被覆材３，３が、それぞれが対向するように配置される。
また、放熱パネルＰは、予め表面にシュリンクフィルム等の包装シートやフィルムを巻き付けておき、これを包装体１で包装するようにしてもよい。
【００２７】
本考案の包装体１によれば、放熱パネルＰの周辺全体が緩衝ロール材２，２と側部被覆材３，３で覆われているので高い強度で保護され、また、運搬中に躯体にぶつかる等して特に破損し易い両短手側端部に緩衝ロール材２，２をあてがってあるので、衝突による加わる衝撃は緩衝ロール材２，２で吸収され、当該部分の破損防止に極めて効果的である。
また、包装体１は、それぞれ一対の緩衝ロール材２，２及び側部被覆材３，３、さらには上下面被覆材５，５により構成されているので、保管や包装する際の手間やコストは最小限で済み、放熱パネルＰを包装する作業も簡便な手順で行うことが可能である。
【００２８】
なお、図示した包装体は本考案の一例の形態を示したものであり、本考案はこれに限定されず、他の適宜な形態で構成することが可能である。
【符号の説明】
【００２９】
１  包装体、２  緩衝ロール材、３  側部被覆材、４  手提げ紐、５  上下面被覆材、５ａ  把持孔、６  粘着テープ、Ｐ  放熱パネル
【図１】
0003211253.tif 000003
【図２】
0003211253.tif 000004
【図３】
0003211253.tif 000005
【図４】
0003211253.tif 000006
【図５】
0003211253.tif 000007
【図６】
0003211253.tif 000008
【図７】
0003211253.tif 000009
【図８】
0003211253.tif 000010
【図９】
0003211253.tif 000011